(57)【要約】【課題】試験流体として蒸気と液体の両者が兼用可能であり、また、蒸気を用いる場合に、簡易な装置により透過量測定が可能となる透過量測定装置用セルを得る。【解決手段】被試験膜１１により上部室２０と下部室５０に区分される透過量測定装置用セル４において、上部室２０内に、試験蒸気発生用の第一液体を貯留する第一バレル３１を設け、かつ、縦壁２２と被試験膜１１により区画される液溜４１に設け、液溜４１に第二液体の貯留が可能である。【選択図】図１
0003134927.tif 000002
【実用新案登録請求の範囲】
【請求項１】
中空柱状の縦壁と前記縦壁の下端より横に張り出す上部フランジと前記縦壁の上端を閉じる天板を有する上部セル部材と、前記上部フランジに対面する下部フランジと前記下部フランジに囲まれる中空部を有する下部セル部材からなり、前記上部セル部材と前記下部セル部材の間に被試験膜を配置するための被試験膜受容部があり、
前記被試験膜受容部に被試験膜を配置し、前記上部フランジと前記下部フランジを密着して、前記上部セル部材と前記被試験膜により区画される上部室と、前記下部セル部材と前記被試験膜により区画される下部室を形成し、前記上部室に存在する試験流体が被試験膜を透過して前記下部室に至る試験流体の量を測定する被試験膜の透過量測定装置用セルにおいて、
前記上部室内に、前記試験流体である試験蒸気発生用の第一液体を貯留するバレルを設け、前記バレルは上方に開口した開口部を有し、前記バレルの前記開口部と前記上部室内が蒸気導通状態に保持され、かつ、前記バレルの底板は前記被試験膜と離間しており、
前記バレルに第一液体を貯留して試験流体である第一液体から発生する蒸気を用いる被試験膜の透過量測定が可能であるとともに、
前記縦壁と被試験膜により形成される液溜と、前記上部セル部材に設けた、開閉可能な前記試験流体である第二液体を出し入れするための液溜対向口を有し、
前記液溜に第二液体を貯留して試験流体である第二液体を用いる被試験膜の透過量測定が可能である、蒸気・液体兼用の透過量測定装置用セル。
【請求項２】
前記バレルの開口部の全面または一部分面に対向する前記天板部分が開閉可能なバレル対向口を有することを特徴とする請求項１に記載した透過量測定装置用セル。
【請求項３】
前記上部セル部材の液溜よりも上方の位置に加圧開放口を有することを特徴とする請求項１乃至２いずれかに記載した透過量測定装置用セル。
【請求項４】
前記液溜出入口が、前記縦壁を上下に分割した出入口であることを特徴とする請求項１乃至３いずれかに記載した透過量測定装置用セル。
【請求項５】
中空柱状の縦壁と前記縦壁の下端より横に張り出す上部フランジと前記縦壁の上端を閉じる天板を有する上部セル部材と、前記上部フランジに対面する下部フランジと前記下部フランジに囲まれる中空部を有する下部セル部材からなり、前記上部セル部材と前記下部セル部材の間に被試験膜を配置するための被試験膜受容部があり、
前記被試験膜受容部に被試験膜を配置し、前記上部フランジと前記下部フランジを密着して、前記上部セル部材と前記被試験膜により区画される上部室と、前記下部セル部材と前記被試験膜により区画される下部室を形成し、前記上部室に存在する試験流体が被試験膜を透過して前記下部室に至る試験流体の量を測定する被試験膜の透過量測定装置用セルにおいて、
前記上部室内に、前記試験流体である試験蒸気発生用の第一液体を貯留するバレルを設け、前記バレルは上方に開口した開口部を有し、前記バレルの前記開口部と前記上部室内が蒸気導通状態に保持され、かつ、前記バレルの底板は前記被試験膜と離間しており、
前記バレルに第一液体を貯留して試験流体である第一液体から発生する蒸気を用いる被試験膜の透過量測定を行う透過量測定装置用セル。
【請求項６】
請求項１乃至５いずれか記載の透過量測定装置用セルと、前記下部室に導通する検出器を備えた透過量測定装置。
【考案の詳細な説明】
【技術分野】
【０００１】
本考案は、フィルムや薄膜を透過する蒸気や液体の透過量を測定する透過量測定装置用セルと透過量測定装置に関するものである。
【背景技術】
【０００２】
試験液体を用いる被試験膜の透過量測定は、試験液体を気体状態として測定するものと、試験液体を液体状態のままで測定するものに大別することができる。
【０００３】
従来の気体状態の試験流体を用いる透過量測定装置は、もともとは、気体（例えば酸素）が試験膜を透過する透過量を測定する装置から発展したものである。
【０００４】
図８は、従来の気体状態の試験流体を用いる透過量測定装置１０１と、気体発生の為の用具を説明する説明図である。従来の透過量測定装置１０１において、試験蒸気を発生するための蒸気発生用液体１１６は容器１１８に貯留される。容器１１８は恒温槽１１９に収められ、容器１１８と蒸気発生用液体１１６は恒温に保たれる。ガスボンベ１４８から、例えば、窒素ガスが容器１１８に送られ、蒸気発生用液体１１６の中でバブリングされ、蒸気発生用液体の蒸気が発生する。
【０００５】
発生した蒸気は、窒素ガスの流れに乗り、蒸気入口１４６から、従来の透過量測定装置用セル１０４内に入り、上部室１２０に至る。透過量測定装置用セル１０４は、上部室１２０、下部室１５０、その間に配置された被試験膜１１１を有している。上部室１２０内に至った蒸気はその一部が被試験膜１１１を透過し、下部室１５０に至る。下部室１５０は検出器接続口１５６を有し、検出器接続口１５６に検出器１１２が接続されていて、当該透過した蒸気の量が測定される。
【０００６】
被試験膜１１１を透過せず上部室１２０に残った蒸気は蒸気出口１４７から排出される。透過量測定装置用セル１０４は、恒温槽１０７に収められる。被試験膜はОリング１２６により封じられ、また、蒸気入口１４６と蒸気出口１４７はОリング１６１により封じられる。透過量測定装置用セル１０４は、上部部材と下部部材からなり、ネジ１２７で接続・固定される。
【０００７】
一方、従来の試験液体を液体状態で測定する透過量測定装置は、チューブの透過量を測定するために、筒状枠の内部に被試験膜であるチューブを収納し、チューブ内に試験液体を満たし、筒状枠内壁とチューブ外壁間をセル室とした測定セルを用いるものがある（例えば、特許文献１参照）。
【０００８】
通常、透過量測定は時間当たりの蒸気透過量が一定状態に達するまで行う。検出器による測定の所要時間は、例えば一回あたり３０分間であり、間隔を置いて複数回の測定を行い、測定値が略一定になった段階で、単一回の測定が終了する。単一回の測定期間は、数日間から数カ月間に及ぶ場合もある。
【０００９】
【特許文献１】特開２００７−７１８６２号公報
【考案の開示】
【考案が解決しようとする課題】
【００１０】
液体を用いる透過量測定は、被試験体がチューブ形状に限られず、被試験体が平板あるいは膜形状である場合もある。従来の透過量測定装置用セルは試験流体が蒸気であることを前提に設計されている。試験流体が液体である場合には、別の液体用透過量測定セルを設計・製造する必要がある。また、液体用透過量測定セルは、被試験体である試験膜あるいは試験板を取り付けた後に、セルの外部からセル内に試験液体を投入可能とする必要がある。
【００１１】
さらに、試験流体は単一組成物に限られず、混合物である場合もある。混合物が被試験体を透過する透過量の総体を把握するためには、測定中に、試験流体である混合物の組成が（例えば混合物中の低分子組成物が選択的に透過され、減少するなど）変化することなく、一定範囲に維持することを実現可能な透過量測定セルが必要である。また、従来の試験流体として蒸気を使用する蒸気用セルは、測定期間中常時蒸気が一定量発生し、測定に寄与しない多量の排出蒸気の処理に多大の労力が必要となる。
【００１２】
そこで、本考案は、第一に試験流体として蒸気と液体の両者が兼用可能な透過量測定装置用セルを得ることを課題とする。第二に試験液体の投入が容易な透過量測定装置用セルを得ることを課題とする。
【００１３】
第三に、試験流体である液体を、たとえ一連の測定期間中であっても容易に入れ替えることが可能な透過量測定装置用セルを得ることを課題とする。第四に、試験流体として蒸気を用いる場合に、簡易な装置により透過量測定が行え、また、排出蒸気が少ない透過量測定装置用セルを得ることを課題とする。
【００１４】
また、本考案は、上記の諸課題と同様な課題を解決する透過量測定装置を得ることを課題とする。
【００１５】
本考案のその他の課題は、本考案の説明により明らかになる。
【課題を解決するための手段】
【００１６】
以下に課題を解決するための手段を、本考案の実施態様に対応する符号を付けて説明する。実施態様に対応する符号は、理解を容易にする一助とするためだけに付するものである。本考案は当該実施態様に限定されるものではない。
【００１７】
本考案の一の態様にかかる蒸気・液体兼用の透過量測定装置用セルは、
中空柱状の縦壁２２と前記縦壁の下端より横に張り出す上部フランジ２３と前記縦壁の上端を閉じる天板２４を有する上部セル部材２１と、前記上部フランジに対面する下部フランジ５３と前記下部フランジに囲まれる中空部を有する下部セル部材５１からなり、前記上部セル部材２１と前記下部セル部材５１の間に被試験膜１１を配置するための被試験膜受容部１０があり、
前記被試験膜受容部１０に被試験膜１１を配置し、前記上部フランジと前記下部フランジを密着して、前記上部セル部材と前記被試験膜により区画される上部室２０と、前記下部セル部材と前記被試験膜により区画される下部室５０を形成し、前記上部室に存在する試験流体が被試験膜を透過して前記下部室に至る試験流体の量を測定する被試験膜の透過量測定装置用セル４において、
前記上部室内に、前記試験流体である試験蒸気発生用の第一液体を貯留するバレル３１を設け、前記バレルは上方に開口した開口部３２を有し、前記バレルの前記開口部と前記上部室内が蒸気導通状態に保持され、かつ、前記バレルの底板３３は前記被試験膜１１と離間しており、
前記バレルに第一液体を貯留して試験流体である第一液体から発生する蒸気を用いる被試験膜の透過量測定が可能であるとともに、
前記縦壁と被試験膜により形成される液溜４１と、前記上部セル部材に設けた、前記試験流体である第二液体を出し入れするための液溜対向口４２を有し、
前記液溜に第二液体を貯留して試験流体である第二液体を用いる被試験膜の透過量測定が可能である。
【００１８】
本考案の好ましい実施態様において、蒸気・液体兼用の透過量測定装置用セルは、前記バレルの開口部の全面または一部分面に対向する前記天板部分が開閉可能なバレル対向口を有していてもよい。
本好ましい態様によれば、第一液体の出し入れが容易となる。セル内に被試験膜を配置した状態で第一液体を交換することが容易となるので、特に、第一液体が混合物である場合に有用である。
【００１９】
本考案の好ましい実施態様において、蒸気・液体兼用の透過量測定装置用セルは、前記上部セル部材の液溜よりも上方の位置に加圧開放口を有していてもよい。
本好ましい態様によれば、第一液体又は第二液体より発生する蒸気などに起因して上部室内が加圧状態となっても、当該圧力を開放することができる。よって、より適切な透過量測定を行うことができるセルとなる。
【００２０】
本考案の好ましい実施態様において、蒸気・液体兼用の透過量測定装置用セルは、前記液溜出入口が、前記縦壁を上下に分割した出入口であってもよい。
【００２１】
本考案の他の態様にかかる蒸気を用いる透過量測定装置用セルは、
中空柱状の縦壁２２と前記縦壁の下端より横に張り出す上部フランジ２３と前記縦壁の上端を閉じる天板２４を有する上部セル部材２１と、前記上部フランジに対面する下部フランジ５３と前記下部フランジに囲まれる中空部を有する下部セル部材５１からなり、前記上部セル部材２１と前記下部セル部材５１の間に被試験膜１１を配置するための被試験膜受容部１０があり、
前記被試験膜受容部１０に被試験膜１１を配置し、前記上部フランジと前記下部フランジを密着して、前記上部セル部材と被試験膜により区画される上部室２０と、前記下部セル部材と被試験膜により区画される下部室５０を形成し、前記上部室に存在する試験流体が被試験膜を透過して前記下部室に至る試験流体の量を測定する被試験膜の透過量測定装置用セル４において、
前記上部室内に、前記試験流体である試験蒸気発生用の第一液体を貯留するバレル３１を設け、前記バレルは上方に開口した開口部３２を有し、前記バレルの前記開口部と前記上部室内が蒸気導通状態に保持され、かつ、前記バレルの底板３３は前記被試験膜１１と離間しており、
前記バレルに第一液体を貯留して試験流体である第一液体から発生する蒸気を用いる被試験膜の透過量測定が可能である。
【００２２】
本考案のその他の態様にかかる透過量測定装置は、本考案にかかる透過量測定装置用セルと、前記下部室に導通する検出器を備えている。
【００２３】
以上説明した本考案、本考案の好ましい実施態様、これらに含まれる構成要素は可能な限り組み合わせて実施することができる。
【考案の効果】
【００２４】
本考案の一の態様にかかる透過量測定装置用セルは、第一に、上部室内に試験蒸気発生用の第一液体を貯留するバレルを設け、バレルの開口部と上部室内が蒸気導通状態に保持されており、また、縦壁と被試験膜により形成される液溜を有する、等々により、バレルに第一液体を貯留して第一液体から発生する蒸気を用いる被試験膜の透過量測定が可能であるとともに、液溜に第二液体を貯留して第二液体を用いる被試験膜の透過量測定が可能である。つまり、蒸気・液体兼用の透過量測定装置用セルである。
【００２５】
第二に、上部セル部材に設けた、第二液体を出し入れするための液溜対抗口を有すること等々により、試験液体の投入、取り出しが容易となる。
【００２６】
第三に、上部セル部材に設けた、第二液体を出し入れするための液溜対抗口を有すること等々により、同一液体、同一被試験膜を用いる単一回の測定期間中であっても、容易に第二液体を入れ替えることができる。従って、第二液体の組成を一定に保つことができ、特に、混合物である液体の透過量をより正確に測定することが容易なセルとなる。
【００２７】
第四に、上部室内に試験蒸気発生用の第一液体を貯留するバレルを設けたこと等々により、簡略な装置で蒸気を用いる透過量測定を行うことができるセルとなる。また、排出蒸気の少ない透過量測定装置用セルとなる。
【００２８】
本考案の他の態様にかかる透過量測定装置は、上記一の態様にかかる透過量測定装置用セルと同様な効果を有する。
【００２９】
本考案の他の態様にかかる透過量測定装置用セルは、上部室内に試験蒸気発生用の第一液体を貯留するバレルを設けたこと等々により、簡略な装置で蒸気を用いる透過量測定を行うことができるセルとなる。また、排出蒸気の少ない透過量測定装置用セルとなる。
【考案を実施するための最良の形態】
【００３０】
以下、図面を参照して本考案の実施例にかかる透過量測定装置用セルと透過量測定装置をさらに説明する。本考案の実施例に記載した部材や部分の寸法、材質、形状、その相対位置などは、とくに特定的な記載のない限りは、この考案の範囲をそれらのみに限定する趣旨のものではなく、単なる説明例にすぎない。
【００３１】
図１は第一透過量測定装置用セル４の断面図であり、図２は第一透過量測定装置用セル４の上部室２０の組み立て斜視図であり、図３は第一透過量測定装置用セル４を含む第一透過量測定装置１の説明図である。図４は第一透過量測定装置用セルを使用した蒸気を用いる透過量測定の説明図であり、図５は第一透過量測定装置用セルを使用した液体を用いる透過量測定の説明図である。
【００３２】
第一透過量測定装置用セル４は、上部セル部材２１と下部セル部材５１から構成される。上部セル部材２１は、中空柱状の縦壁２２と縦壁の下端より横に張り出す上部フランジ２３と縦壁の上端を閉じる天板２４を有する。天板２４はその下部にネジが螺設されていて、縦壁２２の上部内面に螺設されたネジに合わせてネジ止めされている。本実施例にあっては、天板２４は後に述べる液溜対向蓋４３と共通である。もっとも、天板の一部分だけが液溜対向蓋であってもよく、天板と液溜対向蓋が別体であってもよい。
【００３３】
下部セル部材５１は、下部フランジ５３と、下部フランジに囲まれる中央部であって上に凹状に窪んだ中空部を有する。上部セル部材２１と下部セル部材５１の間に被試験膜１１を配置するための被試験膜受容部１０がある。被試験膜受容部１０に被試験膜１１を配置し、上部フランジ２３と下部フランジ５３を複数のネジ２７を締め付けて、被試験膜１１が第一透過量測定装置用セル４内に設置される。
【００３４】
被試験膜１１、縦壁２２と天板２４に囲まれる空間が上部室２０である。上部室２０は円柱形状に限られず、例えば、多角柱、不定形であってもよい。密閉の容易化などの観点から円柱形状が好ましい。被試験膜１１と下部セル部材５０に囲まれる空間が下部室５０である。下部室５０は扁平な円柱形状に限られず、例えば、円錐台、多角柱、多角錐台、不定形であってもよい。密閉の容易化などの観点から円柱形状、円錐台形状が好ましい。
【００３５】
被試験膜受容部１０の外周部分にＯリング２６を配置して、上部室２０、下部室５０、周囲空間との密閉の確実化を図っている。
【００３６】
透過量を測定する被試験膜は、その厚さが様々であり、厚さが一定の被試験膜受容部１０では設置不可能な場合がある。この場合には、被試験膜受容部１０の厚さが異なる、上部セル部材及び／または下部セル部材を数種準備しておいて、交換使用すればよい。
【００３７】
上部室２０内に、第一バレル３１を配設している。第一バレル３１は、試験流体である試験蒸気発生用の第一液体を貯留する容器である。第一バレルは上方に開口した開口部３２を有している。第一バレル３１の側板の上部に貫通穴である第一通気口３７が複数設けられている。第一通気口３７と第一通気部３５により、第一バレルの開口部３２と上部室２０内が蒸気導通状態に保持される。すなわち、第一バレル３１に貯留された第一液体１６から発生する第一液体の蒸気は、被試験膜１１の表面に至り、その一部は被試験膜１１を透過して下部室５０に至る。
【００３８】
第一バレル３１は、第一バレルの底板３３が被試験膜１１と離間している。換言すれば、第一バレルの底板３３は、被試験膜１１の上面から一定距離上方に位置している。
【００３９】
天板２４の一部分であって、第一バレルの開口部３２に対面する部分に、貫通穴であるバレル対向口３４が備えられている。貫通穴であるバレル対向口の内側壁にネジが螺設されている。バレル対向口を開閉するネジ蓋がバレル対向蓋４０である。バレル対向蓋４０の下部にネジが螺設されていている。バレル対向蓋４０がバレル対向口３４にネジ止めされている。当該ネジを緩め、バレル対向蓋４０を取り外すと、バレル対向口３４が開口する。
【００４０】
バレル対向口３４を開くと、第一バレル３１に第一液体を出し入れすることが出来る。第一液体の出し入れは、単一回の透過量測定の前後に行うことができ、また、単一回の透過量測定の間に行ってもよい。特に、第一液体が混合物（例えばガソリン）である場合には、混合物中の低分子化合物が選択的に被試験膜を透過し、第一液体の組成が単一回の透過量測定の間に変化することがある。単一回の測定期間中で試験流体の組成を一定に保持する観点から、バレル対向蓋を通過する第一液体の出し入れは有用である。第一バレル３１への第一液体の出し入れは、例えばスポイドを使用して行うことができる。よって、バレル対向口３４は、スポイドの先端部分が通過可能な大きさであればよい。もっとも、バレル対向口３４は、バレル開口部３２と等しい平面大きさでもよく、バレル開口部３２を超える平面大きさであってもよい。
【００４１】
上部室２０内で、縦壁２２の内壁と被試験膜１１により形成される空間は、液溜４１である。液溜４１には試験流体である第二液体１７が貯留可能である。ここで、第一バレルの底板３３が被試験膜１１と離間しているため、液溜４１に貯留された第二液体は必然的に被試験膜１１の表面に接触する。そして、第二液体の一部が被試験膜１１を透過して、下部室５０に至る。よって、試験流体を液体とした透過量測定が可能となる。
【００４２】
液溜４１は、貯留される第二液体の表面が第一通気口３７の高さに至るまで、第二液体を貯留可能である。すなわち、第一通気部３５も液溜４１に含まれる場合もある。
【００４３】
天板２４は縦壁２２とネジ止めされている。縦壁２２の上端面が液溜対向口４２である。液溜対抗口４２の内側壁にネジが螺設されている。
【００４４】
液溜対向口４２を開閉するネジ蓋が液溜対向蓋４３である。液溜対向蓋４３は天板２４を兼ねている。液溜対向蓋４３の下部にネジが螺設されていている。液溜対向蓋４３が液溜対向口４２にネジ止めされている。当該ネジを緩め、液溜対向蓋４３を取り外すと、液溜対向口４２が開口する。本実施例では、第一バレル３１が天板２４である液溜対抗蓋４３に付着されているので、液溜対向蓋４３を取り外すと第一バレル３１も同時に取り外すことになる。
【００４５】
液溜対向口４２を開くと、液溜４１に第二液体を出し入れすることが出来る。第二液体の出し入れは、単一回の透過量測定の前後に行うことができ、また、単一回の透過量測定の間に行ってもよい。特に、第二液体が混合物（例えばガソリン）である場合には、混合物中の低分子化合物が選択的に被試験膜を透過し、第二液体の組成が単一回の透過量測定の間に変化することがある。単一回の測定期間中で試験流体の組成を一定に保持する観点から、液溜対向口４２を通過する第二液体の出し入れは有用である。液溜４１への第二液体の出し入れは、例えばスポイドを使用して行うことができる。
【００４６】
よって、液溜対向口４２は、スポイドの先端部分が通過可能な大きさであればよい。もっとも、液溜対向口４２は、液溜の開口面と等しい平面大きさでもよい。また、液溜対抗口は、液溜の開口面の垂直面上に位置付けられていることが好ましい。そして、液溜対抗口は、液溜の開口面の全面または一部分面に対向することが好ましい。例えば、スポイドを液溜の下部まで差し入れることが容易になるからである。また、液溜対向口は、例えば、縦壁２２を上下に２等分する位置にあってもかまわない。
【００４７】
天板２４には、貫通穴である加圧開放口２５が空けられ、先端に加圧開放口蓋４４がネジ止めされている。第一透過量測定装置用セル４を使用し、試験流体として第二液体を用いる透過量測定において、第二液体から発生する蒸気などに起因して上部室２０内が加圧状態になる場合が生じる。そこで、加圧を開放するために、加圧開放口２５を開放して測定を行うことがある。あるいは、加圧開放口２５の先端にさらにパイプなどを取り付けて、発生した蒸気を外部に導くことがある。
【００４８】
加圧開放口２５は、また、蒸気を使用する透過量測定においても使用することができる。第一液体から発生する蒸気に起因して上部室２０内が加圧状態になることもあるからである。例えば、加圧開放口２５に適宜の圧力調整手段を接続すればよい。
【００４９】
図３を参照して、第一透過量測定装置用セル４を含む第一透過量測定装置１をさらに説明する。第一透過量測定装置用セル４の下部室５０と導通する検出器接続口５６に第一検出器１２が接続される。第一透過量測定装置１は、いわゆる差圧法による透過量測定装置であり、第一検出器１２は、例えば、ガスクロマトグラフ、水分計、圧力計などを挙げることができる。
【００５０】
検出器で測定された測定結果は、例えばコンピュータである制御部１５により処理される。第一透過量測定装置用セル４は、通常、恒温槽７内に収納され、恒温条件下で透過量測定が行われる。よって、第一液体、第一液体から発生する蒸気、第二液体もまた恒温に保持される。
【００５１】
第一透過量測定装置用セル４における第一バレル３１は天板２４付着されているが、第一バレル３１は、縦壁２２に支持されていてもかまわない。例えば、縦壁２２から横方向に支持棒を設け、第一バレルを当該支持棒に載せてもよい。
【００５２】
次に、第二透過量測定装置用セル５を含む第二透過量測定装置２を説明する。図６は第二透過量測定装置用セル５を含む第二透過量測定装置２の説明図である。第二透過量測定装置２は、上部室２０に第一バレル３１と液溜４１を有する点やその構成部分などは、第一透過量測定装置用セル１と同じである。第二透過量測定装置用セル５と第二透過量測定装置２において、第一透過量測定装置用セル４と第一透過量測定装置１と等しい部品、部分には、同一の符号を付している。以下に、相違点のみを説明する。
【００５３】
第二透過量測定装置２は、いわゆる等圧法による透過量測定装置である。第二透過量測定装置用セル５は、下部室５０にキャリヤーガス入口５７とキャリヤーガス出口５８を有している。キャリヤーガスボンベ１４から、例えば窒素ガスなどのキャリヤーガスが供給される。キャリヤーガスは、キャリヤーガス入口５７から下部室５０内に入り、キャリヤーガス出口５８から出て行く。このとき、被試験膜１１を透過した試験流体がキャリヤーガスの流れに従いキャリヤーガス出口５８から出て行く。キャリヤーガス出口５８に第二検出器１３が接続されている。キャリヤーガスの流れとともに第二検出器１３に入る試験流体の量が測定される。第二検出器は、例えばガスクロマトグラフである。
【００５４】
続いて、他の実施例を説明する。図７は第三透過量測定装置用セル６の説明図である。第三透過量測定装置用セル６は縦壁２２の一部が二重管になっている。二重管の内壁３８の一部分に仕切り板４５を配設している。内壁３８と仕切り板４５により区画される領域が第二バレル４６である。仕切り板４５は第二バレル４６の底板であり、被試験膜１１と離間している。
【００５５】
内壁３８の上部と下部には第二通気口３９が空けられている。第７図には、第二バレル４６に第一液体１６を貯留した場合を図示している。二重管の間隙は第二通気部３６である。第二バレル４６に貯留される第一液体１６から発生する蒸気は、第二バレル４６の上方開口部から第二通気口３９、第二通気部３６、第二通気口３９を経由して被試験膜１１の表面に至る。
【００５６】
仕切り板４５の中央部に仕切り蓋４７がネジ止めされている。仕切り蓋４７は、第二バレル４６の底板の役割を担うとともに、液溜対抗蓋の役割を担っている。仕切り蓋４７は、液溜４１に貯留される第二液体の出入り口である。
【００５７】
第三透過量測定装置用セル６のその他の構成部分は、第一透過量測定装置用セル４と同様である。第三透過量測定装置用セル６において、第一透過量測定装置用セル４と同等な部品部分には、同一の符号を付している。
【産業上の利用可能性】
【００５８】
本考案にかかる透過量測定装置用セルと透過量測定装置は、膜状や板状の被試験体における、ガソリンなどの燃料、潤滑油、水、油、有機溶媒などを試験流体とする透過量測定に利用することができる。
【図面の簡単な説明】
【００５９】
【図１】第一透過量測定装置用セル４の断面図である。
【図２】第一透過量測定装置用セル４の上部室２０の組み立て斜視図である。
【図３】第一透過量測定装置用セル４を含む第一透過量測定装置１の説明図である。
【図４】第一透過量測定装置用セル４を使用した蒸気を用いる透過量測定の説明図である。
【図５】第一透過量測定装置用セル４を使用した液体を用いる透過量測定の説明図である。
【図６】第二透過量測定装置用セル５を含む第二透過量測定装置２の説明図である。
【図７】第三透過量測定装置用セル６の説明図である。
【図８】従来の気体状態の試験流体を用いる透過量測定装置１０１と、気体発生の為の用具を説明する説明図である。
【符号の説明】
【００６０】
１    第一透過量測定装置
２    第二透過量測定装置
４    第一透過量測定装置用セル
５    第二透過量測定装置用セル
６    第三透過量測定装置用セル
７    恒温槽
１０  被試験膜受容部
１１  被試験膜
１２  第一検出器
１３  第二検出器
１４  キャリヤーガスボンベ
１５  制御部
１６  第一液体
１７  第二液体
２０  上部室
２１  上部セル部材
２２  縦壁
２３  上部フランジ
２４  天板
２５  加圧開放口
【００６１】
３１  第一バレル
３２  開口部
３３  底板
３４  バレル対向口
３５  第一通気部
３６  第二通気部
３７  第一通気口
３８  内壁
３９  第二通気口
４０  バレル対向蓋
４１  液溜
４２  液溜対向口
４３  液溜対向蓋
４４  加圧開放口蓋
４５  仕切り板
４６  第二バレル
４７  仕切り蓋
５０  下部室
５１  下部セル部材
５３  下部フランジ
５６  検出器接続口
５７  キャリヤーガス入口
５８  キャリヤーガス出口
【００６２】
１０１  従来の透過量測定装置
１０４  従来の透過量測定装置用セル
１１６  蒸気発生用液体
１１８  容器
１４６  蒸気入口
１４７  蒸気出口
１４８  ガスボンベ
【図１】
0003134927.tif 000003
【図２】
0003134927.tif 000004
【図３】
0003134927.tif 000005
【図４】
0003134927.tif 000006
【図５】
0003134927.tif 000007
【図６】
0003134927.tif 000008
【図７】
0003134927.tif 000009
【図８】
0003134927.tif 000010